(57)【要約】 【課題】  本発明は形状情報が複数の属性に関係付けられている場合に、選択された２以上の属性をそれぞれ独立した表示情報に対応させ、組み合わせて形状の表示情報を変更する手段を提供することにより、表示装置上で形状と２以上の属性との対応関係を視覚的に確認可能とすることを目的とする。【解決手段】  本発明に係る情報処理装置は、製品を構成する複数の部品を識別可能に表現し、製品設計を支援する情報処理装置において、部品が有する複数の属性情報から所望の２以上の属性情報を選択する属性情報選択部と、部品を識別するために、該属性情報選択部において選択した２以上の属性情報を表現する表現形式をそれぞれの属性情報に対して選択する表現形式選択部と、選択した複数の属性情報において、部品固有の属性値を選択した表現形式に基づいて部品の形状を表現する部品表現部とを有する。【選択図】  図１２
2006172058.tif 000002
【特許請求の範囲】
【請求項１】
製品を構成する複数の部品を識別可能に表現し、製品設計を支援する情報処理装置において、
部品が有する複数の属性情報から所望の２以上の属性情報を選択する属性情報選択部と、
部品を識別するために、該属性情報選択部において選択した２以上の属性情報を表現する表現形式をそれぞれの属性情報に対して選択する表現形式選択部と、
選択した複数の属性情報において、部品固有の属性値を選択した表現形式に基づいて部品の形状を表現する部品表現部と、
を有することを特徴とする情報処理装置。
【請求項２】
該表現形式選択部において、部品が有する属性情報を表現する形式として色相、彩度または明度に基づく表現形式のうち少なくとも１つを選択することを特徴とする請求項１に記載の情報処理装置。
【請求項３】
該表現形式選択部において、部品が有する属性情報を表現する形式として色相、彩度または透明度に基づく表現形式のうち少なくとも１つを選択することを特徴とする請求項１に記載の情報処理装置。
【請求項４】
製品を構成する複数の部品を識別可能に表現し、製品設計を支援する製品設計支援プログラムにおいて、
部品が有する複数の属性情報から所望の２以上の属性情報を選択する属性情報選択ステップと、
部品を識別するために、該属性情報選択ステップにおいて選択した２以上の属性情報を表現する表現形式をそれぞれの属性情報に対して選択する表現形式選択ステップと、
選択した複数の属性情報において、部品固有の属性値を選択した表現形式に基づいて部品の形状を表現する部品表現ステップと、
をコンピュータに実行させることを特徴とする製品設計支援プログラム。
【請求項５】
製品を構成する複数の部品を識別可能に表現し、製品設計を支援する製品設計支援方法において、
部品が有する複数の属性情報から所望の２以上の属性情報を選択する属性情報選択ステップと、
部品を識別するために、該属性情報選択ステップにおいて選択した２以上の属性情報を表現する表現形式をそれぞれの属性情報に対して選択する表現形式選択ステップと、
選択した複数の属性情報において、部品固有の属性値を選択した表現形式に基づいて部品の形状を表現する部品表現ステップと、
からなることを特徴とする製品設計支援方法。
【請求項６】
製品を構成する複数の部品を識別可能に表現し、製品設計を支援する情報処理装置において、
部品が有する複数の属性情報から所望の２以上の属性情報を選択する属性情報選択部と、
部品を識別するために、該属性情報選択部において選択した２以上の属性情報を表現する表現形式をそれぞれの属性情報に対して選択する表現形式選択部と、
該表現形式選択部において、選択した２以上の表現形式を合成する表現形式合成部と、
該表現形式合成部において、合成した表現結果を出力する表現結果出力部と、  
を有することを特徴とする情報処理装置。
【請求項７】
複数の属性情報を有する複数の物を表現可能とし、２以上の表現形式を有する情報処理装置において、
物が有する複数の属性情報から所望の２以上の属性情報を選択する属性情報選択部と、
物を識別するために、該属性情報選択部において選択した２以上の属性情報を表現する表現形式をそれぞれの属性情報に対して選択する表現形式選択部と、
選択した複数の属性情報において、部品固有の属性値を選択した表現形式に基づいて部品の形状を表現する部品表現部と、
を有することを特徴とする情報処理装置。
【請求項８】
複数の属性情報を有する複数の物を表現可能とし、２以上の表現形式を有する情報処理装置において、
物が有する複数の属性情報から所望の２以上の属性情報を選択する属性情報選択部と、
物を識別するために、該属性情報選択部において選択した２以上の属性情報を表現する表現形式をそれぞれの属性情報に対して選択する表現形式選択部と、
該表現形式選択部において、選択した２以上の表現形式を合成する表現形式合成部と、
該表現形式合成部において、合成した表現結果を出力する表現結果出力部と、  
を有することを特徴とする情報処理装置。
【発明の詳細な説明】
【技術分野】
【０００１】
本発明は、ＣＡＤ（Ｃｏｍｐｕｔｅｒ  Ａｉｄｅｄ  Ｄｅｓｉｇｎ）やＤＭＵ（Ｄｉｇｉｔａｌ  Ｍｏｃｋ−ｕｐ）、ＣＡＭ（Ｃｏｍｐｕｔｅｒ  Ａｉｄｅｄ  Ｍａｎｕｆａｃｔｕｒｉｎｇ）等を用い、製造製品等の設計に関するものであり、製造製品の構成部品を属性等に、例えば色、輝度、明度といった表示状態を割り当て表示し、製品の設計支援を行う情報処理装置に関するものである。
【０００２】
ここでＤＭＵとは、ＣＡＤを用いて製品の外観、内部構成などを比較、検討するためのシミュレーションソフトウェアやそのソフトウェアを用いて作成された３次元モデルのことである。
【背景技術】
【０００３】
近年、種々の製品の製造、開発において、地球の環境へ配慮した製造開発が進められてきている。
【０００４】
資源のリサイクルや解体性等を考慮して製品開発を行うためには、製品を構成する部品に用いる材料、配置場所等をコンピュータ上でシミュレーション設計し、最適な製品組み立てを行う必要があり、例えば従来の技術として、リサイクル性等を考慮した製品開発を支援する設計方法に関するものとして以下のものが存在する。
【特許文献１】特開２００３−２７１６７７号公報  この方法は、製品設計を行う際、部品の形状を表す形状情報の他に、材料等の様々な属性が付属する情報をＣＡＤ等を用い、情報処理装置上の表示装置を用いて表示する場合、その部品にどのような属性が割り当てられているかを、表示状態から視覚的に認識する手段として、一つの属性に対し、属性値に応じた色等の表示状態を割り当てておき、表示を切り替えて属性による違いを視覚的に認識する方法である。
【０００５】
具体例を以下に示す。図１７は、部品Ａ，Ｂ，Ｃの属性を示す表である。
【０００６】
属性は材料、リサイクル可能率であり、部品Ａは材料が鉄、リサイクル可能率が８０パーセント、部品Ｂは材料がアルミニウム、リサイクル率が５０パーセント、部品Ｃは材料がプラスチック、リサイクル可能率が５パーセントである。
【０００７】
図１８は、材料、リサイクル可能率の値と色の対応関係を示す図であり、図１９は、材料、リサイクル可能率の値と色の対応関係を示す表である。
【０００８】
材料の鉄は赤、アルミニウムは青、プラスチックは緑に対応させる。リサイクル可能率の０〜３０パーセントは赤色、３１〜７０パーセントは黄色、７１〜１００パーセントは紫色と対応させる。ここで材料及びリサイクル可能率に対して、色以外に輝度、透明度にも対応させることができる。  
【０００９】
対応テーブルを作成した後、部品のもつ属性の値に対応した色を部品色とすることによって、視覚的に属性値の把握が可能になる。
【００１０】
この方法では、属性毎に対応テーブルを管理することができ、部品の色分けを行いたい属性を切り替えることで、視覚的な評価を容易にすることができる。
【００１１】
例えば、属性として材料を選択すると、部品にどの材料が使用されているのか、画面上において確認することができる。
【００１２】
同様に、リサイクル可能率において色分けを行った部品のリサイクル可能率の違いを視覚的に確認することができ、解体性を考慮した製品設計が容易となる。
【００１３】
上記方法によれば、例えば部品に使用している材料に対し、それぞれの材料に対応する色を管理することで、部品がどの材料を使用しているかを表示装置上で視覚的に認識することは可能である。
【発明の開示】
【発明が解決しようとする課題】
【００１４】
上記記載の方法は、材料やリサイクル可能率、解体性といった属性に対する視覚的評価を順次、評価していく作業においては有効であった。
【００１５】
しかし、例えば設計する製品の環境評価を行う一環として、製品の解体性評価を行う場合、部品に使用されている材料が、金属系か樹脂系かを判断し、その上で隣り合う部品が同じ材料かを知りたいといった要求がある。
【００１６】
このような要求は、部品を分解する際に、樹脂系の多くは再利用できないため、丁寧に分解しなくても良いことや、隣り合う部品が同じ材料であれば、その部品同士は分解しなくても良いという、作業の違いがあるために求められる。
【００１７】
例えば図２０は、部品Ａ，Ｂ，Ｃの属性を示す表である。
【００１８】
属性は材料、分類である。部品Ａは材料が鉄であり、分類が金属、部品Ｂは材料がアルミニウムであり、分類が金属、部品Ｃは材料がプラスチックであり、分類が樹脂である。
【００１９】
図２１は、材料、分類の値と色の対応関係を示す図であり、図２２は、材料、分類の値と色の対応関係を示す表である。
【００２０】
材料の鉄は赤、アルミニウムは青、プラスチックは緑に対応させる。分類が金属であれば赤色、樹脂であれば黄色と対応させる。
【００２１】
図２３は部品Ａ、Ｂ、Ｃの概念図であり、枠が表示画面であるとする。
【００２２】
部品Ａは材料が鉄であり、分類が金属、部品Ｂは材料がアルミニウムであり、分類が金属、部品Ｃは材料がプラスチックであり、分類が樹脂であるので、図２１及び図２２から分類に関して表示する場合は、部品Ａは赤色、部品Ｂは赤色、部品Ｃは黄色で表示し、材料に関して表示する場合には、部品Ａは赤色、部品Ｂは青色、部品Ｃは緑色で表示する。
【００２３】
実際には、製品を部品Ａ、Ｂ、Ｃ等によって組み合わせた状態で分類、材料などに関して表示する。勿論、製品を部品ごとに分解した状態において色表示して製品の評価をしても構わない。
【００２４】
そして、材料と分類の２つの色分け画面を交互に参照しながら製品の環境評価等を行う。
【００２５】
この方法では、画面を切り替えながら評価するため、一方の状態を記憶しておかなければならず、部品点数や、属性値の数が増えてくると、評価が困難であるといった問題が起こっていた。
【００２６】
さらには、装置を解体する際には、リサイクル可能な材料か否かを確認すると共に、これ以上解体する必要があるのかを判定するため、組み立てられている部品同士が同一の材料かどうかも確認する必要性があった。このような場合、従来ではリサイクル可能性という属性による表示状態と、材料という属性による表示状態を切り替えて評価する必要があり、効率が悪く、見落とす等の問題があった。
【００２７】
本発明では、形状情報が複数の属性に関係付けられている場合に、選択された２以上の属性をそれぞれ独立した表示情報に対応させ、組み合わせて形状の表示情報を変更する手段を提供することにより、表示装置上で形状と２以上の属性との対応関係を視覚的に確認可能とすることを目的とする。
【課題を解決するための手段】
【００２８】
本発明に係る情報処理装置は、製品を構成する複数の部品を識別可能に表現し、製品設計を支援する情報処理装置において、部品が有する複数の属性情報から所望の２以上の属性情報を選択する属性情報選択部と、部品を識別するために、該属性情報選択部において選択した２以上の属性情報を表現する表現形式をそれぞれの属性情報に対して選択する表現形式選択部と、選択した複数の属性情報において、部品固有の属性値を選択した表現形式に基づいて部品の形状を表現する部品表現部とを有することを特徴とする。
【００２９】
また本発明に係る情報処理装置は、該表現形式選択部において、部品が有する属性情報を表現する形式として色相、彩度または明度に基づく表現形式を選択することを特徴とする。
【００３０】
また本発明に係る情報処理装置は、該表現形式選択部において、部品が有する属性情報を表現する形式として色相、彩度または透明度に基づく表現形式を選択することを特徴とする。
【００３１】
また本発明に係る製品設計支援プログラムは、製品を構成する複数の部品を識別可能に表現し、製品設計を支援する製品設計支援プログラムにおいて、部品が有する複数の属性情報から所望の２以上の属性情報を選択する属性情報選択ステップと、部品を識別するために、該属性情報選択ステップにおいて選択した２以上の属性情報を表現する表現形式をそれぞれの属性情報に対して選択する表現形式選択ステップと、選択した複数の属性情報において、部品固有の属性値を選択した表現形式に基づいて部品の形状を表現する部品表現ステップとをコンピュータに実行させることを特徴とする。
【００３２】
また本発明に係る製品設計支援方法は、製品を構成する複数の部品を識別可能に表現し、製品設計を支援する製品設計支援方法において、部品が有する複数の属性情報から所望の２以上の属性情報を選択する属性情報選択ステップと、部品を識別するために、該属性情報選択ステップにおいて選択した２以上の属性情報を表現する表現形式をそれぞれの属性情報に対して選択する表現形式選択ステップと、選択した複数の属性情報において、部品固有の属性値を選択した表現形式に基づいて部品の形状を表現する部品表現ステップとからなることを特徴とする。
【００３３】
また本発明に係る情報処理装置は、製品を構成する複数の部品を識別可能に表現し、製品設計を支援する情報処理装置において、部品が有する複数の属性情報から所望の２以上の属性情報を選択する属性情報選択部と、部品を識別するために、該属性情報選択部において選択した２以上の属性情報を表現する表現形式をそれぞれの属性情報に対して選択する表現形式選択部と、該表現形式選択部において、選択した２以上の表現形式を合成する表現形式合成部と、該表現形式合成部において、合成した表現結果を出力する表現結果出力部とを有することを特徴とする。
【００３４】
また本発明に係る情報処理装置は、複数の属性情報を有する複数の物を表現可能とし、２以上の表現形式を有する情報処理装置において、物が有する複数の属性情報から所望の２以上の属性情報を選択する属性情報選択部と、物を識別するために、該属性情報選択部において選択した２以上の属性情報を表現する表現形式をそれぞれの属性情報に対して選択する表現形式選択部と、選択した複数の属性情報において、部品固有の属性値を選択した表現形式に基づいて部品の形状を表現する部品表現部とを有することを特徴とする。
【００３５】
また本発明に係る情報処理装置は、複数の属性情報を有する複数の物を表現可能とし、２以上の表現形式を有する情報処理装置において、物が有する複数の属性情報から所望の２以上の属性情報を選択する属性情報選択部と、物を識別するために、該属性情報選択部において選択した２以上の属性情報を表現する表現形式をそれぞれの属性情報に対して選択する表現形式選択部と、該表現形式選択部において、選択した２以上の表現形式を合成する表現形式合成部と、該表現形式合成部において、合成した表現結果を出力する表現結果出力部とを有することを特徴とする。
【発明の効果】
【００３６】
本発明では、複数の属性情報における属性値に対して色相、明度等を割り当て、同時に複数の属性情報を表示することにより、属性情報を判断するために、表示の切り替える手間を省き、製品設計の作業の効率化を可能とする。
【００３７】
さらには、複数の属性情報を同時に評価することが可能になるため、単一の属性情報からでは製品設計に関する判断が困難な場合においても、製品設計を容易にすることができる。
【発明を実施するための最良の形態】
【００３８】
図１は、部品に割り当てる材料と、その材料を管理するための分類例である。
【００３９】
例えば、大分類が金属、小分類１が鉄系、小分類２が非鉄系、材料１が鉄、材料２が鋼、材料３が鋳鉄、材料４が銅、材料５がアルミニウム、材料６が鉛であるとする。
【００４０】
小分類と材料の属性を同時に表示状態に対応させるため、色の３属性である、色相、彩度、明度のうち、色相と明度をそれぞれの属性に対応させる。この時、彩度はそれぞれの色相の最大値とする。
【００４１】
分類表に小分類に色相を割り当て、材料に明度を割り当てる。ここで本実施例では２種類の属性を同時に識別可能とすることとする。そして２種類の属性のうち、一つの属性が分類を表現している場合、分類となる属性に色相を割り当て、もう一方の属性に明度を割り当てる。
【００４２】
図２は分類表に色相と明度を割り当てた図である。
【００４３】
鉄系金属に色相０度、非鉄系金属に色相２４０度を割り当て、材料の鉄に対して明度２５５、鋼に明度１６０、鋳鉄に対して明度６４、銅に対して明度２５５、アルミニウムに対して明度１６０、鉛に対して明度６４を割り当てる。
【００４４】
このように同一の分類に属している属性は同一の色相で表現され、その中で個々の違いは色の明度で認識することが可能であり、色相と明度を用いることにより、部品の分類と材料を同時に評価することができる。
【００４５】
図３は分類が金属、樹脂であり、材料が鉄、アルミニウム、プラスチックの場合色相及び明度の対応図である。
【００４６】
材料を明度テーブルに対応させ、分類を色相テーブルに対応させる。
【００４７】
図４は分類と材料それぞれに色相と明度を対応させた表であり、分類の金属に対しては色相０度、樹脂は色相６０度、材料の鉄に対しては明度１００、アルミニウムに対しては明度２００、プラスチックに対しては明度２２８を対応させる。
【００４８】
ここで人間の視覚は色の変化より明るさの変化に敏感なことから、本実施例では、それぞれの属性が持つ、属性値の数が多いものを明度に、少ないものを色相に対応させることとする。また属性値とは、部品に含まれる属性の性質等のことであり、例えば、分類であれば、属性値は金属と樹脂であり、材料であれば、属性値は鉄とアルミニウムとプラスチックである。また色相０度は赤色、色相２４０度は青色、色相１２０度は緑色、色相６０度は黄色、色相３００度は紫色、色相９０度は黄緑色であるとする。
【００４９】
図２０は、部品Ａ，Ｂ，Ｃの属性を示す表である。
【００５０】
部品Ａは材料が鉄、分類が金属、部品Ｂは材料がアルミニウム、分類が金属、部品Ｃは材料がプラスチック、分類が樹脂である。
【００５１】
図３及び４から部品Ａは明度１００、色相０度であり、部品Ｂは明度２００、色相０度であり、部品Ｃは明度２２８、色相６０度であるので、これら色相、明度の対応テーブルから部品の表示色を生成し、二種類の属性を考慮した色によって製品を構成する部品Ａ、Ｂ、Ｃを表示することができる。
【００５２】
例えば、図２３に示す部品Ａ、Ｂ、Ｃの概念図において表現すると、部品Ａは淡い緑色、部品Ｂは淡い青色、部品Ｃはくすんだ青色で表現される。
【００５３】
これより同一の分類に属している属性は同一の色相で表現され、その中で個々の違いは色の明度により認識することが可能であり、分類と材料を同時に評価することができる。
【００５４】
ここで生成される色はＨＳＶ形式で表現されているので、コンピュータの画面等においてはＲＧＢ形式に変換して表示する。
【００５５】
図５は、属性が材料とリサイクル可能率であり、材料が鉄、アルミニウム、プラスチックであり、リサイクル可能率が０〜３０％、３１〜７０％、７１〜１００％の三段階に区別した場合の色相及び明度の対応図である。材料に対して明度テーブル、リサイクル可能率に対して色相テーブルを割り当てる。
【００５６】
これは逆の場合でもあってもよく、材料に対して色相テーブル、リサイクル可能率に対して明度テーブルを割り当ててもよい。
【００５７】
図６は材料とリサイクル可能率それぞれに色相、明度を対応させた表であり、材料の鉄に対しては明度１００、アルミニウムに対しては明度２００、プラスチックに対しては明度２２８を対応させ、リサイクル可能率０〜３０％に対しては色相０度、リサイクル可能率３１〜７０％に対しては６０度、リサイクル可能率７１〜１００％に対しては９０度に対応させる。
【００５８】
図１７は、部品Ａ，Ｂ，Ｃの属性を示す表である。
部品Ａは材料が鉄、リサイクル可能率が８０パーセント、部品Ｂは材料がアルミニウム、リサイクル率が５０パーセント、部品Ｃは材料がプラスチック、リサイクル可能率が５パーセントである。
【００５９】
図５及び６から部品Ａは明度１００、色相９０度であり、部品Ｂは明度２００、色相６０度であり、部品Ｃは明度２２８、色相０度であるので、これら明度、色相の対応テーブルから部品の表示色を生成二種類の属性を考慮した色によって製品を構成する部品Ａ、Ｂ、Ｃを表示することができる。
【００６０】
これより同一の分類に属している属性は同一の色相で表現され、その中で個々の違いは色の明度で認識することが可能であり、分類と材料を同時に評価することができる。
【００６１】
ここで生成される色はＨＳＶ形式で表現されているので、コンピュータの画面等においてはＲＧＢ形式に変換して表示する。
【００６２】
図７は分類表に色相と透明度を割り当てた図である。
例えば、大分類が金属、小分類１が鉄系、小分類２が非鉄系、材料１が鉄、材料２が鋼、材料３が鋳鉄、材料４が銅、材料５がアルミニウム、材料６が鉛であるとする。
【００６３】
分類表に小分類に色相を割り当て、材料に透明度を割り当てる。ここで本実施例では２種類の属性を同時に識別可能とすることとする。そして２種類の属性のうち、一つの属性が分類を表現している場合、分類となる属性に色相を割り当て、もう一方の属性に透明度を割り当てる。
【００６４】
鉄系金属に色相０度、非鉄系金属に色相２４０度を割り当て、材料の鉄に対して透明度０、鋼に透明度０．７、鋳鉄に対して透明度０．３、銅に対して透明度０、アルミニウムに対して透明度０．７、鉛に対して透明度０．３を割り当てる。
【００６５】
このように同一の分類に属している属性は同一の色相で表現され、その中で個々の違いは色の透明度で認識することが可能であり、分類と材料を同時に評価することができる。
【００６６】
図８は分類が金属、樹脂であり、材料が鉄、アルミニウム、プラスチックの場合色相及び透明度の対応図である。
【００６７】
材料を透明度テーブルに対応させ、分類を色相テーブルに対応させる。
【００６８】
図９は分類と材料それぞれに色相、明度を対応させた表であり、金属に対しては色相０度、樹脂は色相６０度、鉄に対しては透明度０、アルミニウムに対しては透明度０．３、プラスチックに対しては透明度０．７を対応させる。
【００６９】
図２０は、部品Ａ，Ｂ，Ｃの属性を示す表である。
【００７０】
部品Ａは材料が鉄、分類が金属、部品Ｂは材料がアルミニウム、分類が金属、部品Ｃは材料がプラスチック、分類が樹脂である。
【００７１】
図８及び９から部品Ａは透明度０、色相０度であり、部品Ｂは透明度０．３、色相０度であり、部品Ｃは透明度０．７、色相６０度であるので、これら透明度、色相の対応テーブルから部品の表示色を生成し、二種類の属性を考慮した色によって製品を構成する部品Ａ、Ｂ、Ｃを表示することができる。
【００７２】
これより同一の分類に属している属性は同一の色相で表現され、その中で個々の違いは色の透明度で認識することが可能であり、分類と材料を同時に評価することができる。
【００７３】
する。
【００７４】
図１０は、分類が材料、リサイクル可能率であり、材料が鉄、アルミニウム、プラスチックであり、リサイクル可能率が０〜３０％、３１〜７０％、７１〜１００％の三段階に区別した場合の色相及び透明度の対応図である。材料に対して透明度テーブル、リサイクル可能率に対して色相テーブルを割り当てる。
【００７５】
これは逆の場合でもよく、材料に対して色相テーブル、リサイクル可能率に対して透明度テーブルを割り当ててもよい。
【００７６】
図１１は材料とリサイクル可能率それぞれに色相、透明度を対応させた表であり、鉄に対しては透明度０、アルミニウムに対しては透明度０．３、プラスチックに対しては透明度０．７を対応させリサイクル可能率０〜３０％に対しては色相０度、リサイクル可能率３１〜７０％に対しては６０度、リサイクル可能率７１〜１００％に対しては９０度に対応させる。
【００７７】
図１７は、部品Ａ，Ｂ，Ｃの属性を示す表である。
【００７８】
部品Ａは材料が鉄、リサイクル可能率が８０パーセント、部品Ｂは材料がアルミニウム、リサイクル率が５０パーセント、部品Ｃは材料がプラスチック、リサイクル可能率が５パーセントである。
【００７９】
図１０及び１１から部品Ａは透明度０、色相９０度であり、部品Ｂは透明度０．３、色相６０度であり、部品Ｃは透明度０．７、色相０度であるので、これら透明度、色相の対応テーブルから部品の表示色を生成し、二種類の属性を考慮した色によって製品を構成する部品Ａ、Ｂ、Ｃを表示することができる。
【００８０】
これより同一の分類に属している属性は同一の色相で表現され、その中で個々の違いは色の透明度で認識することが可能であり、材料とリサイクル可能率を同時に評価することができる。
【００８１】
図１２は本発明に係る情報処理装置のブロック図である。
【００８２】
１は情報処理装置、２は形状情報記憶装置、３は属性情報記憶装置、４は入力装置、５は表示装置である。情報処理装置１は属性情報選択部１１、表示方法選択部１２、表示情報・属性値対応部１３、形状・表示情報変更部１４、表示情報記憶部１５、形状表示部１６から構成される。
【００８３】
形状情報記憶装置２には、形状情報を記憶し、属性情報記憶装置３には、属性情報を記憶する。
【００８４】
形状情報とは、部品の外観を識別するための情報であり、属性情報とは、部品に使用される材料情報や作成者、作成日時、さらにはその部品のリサイクル可能率、再資源可能率等を表すものである。
【００８５】
ここでリサイクル可能率はその部品を加工せずに新しい製品製造に用いることができる効率を示すものである。再資源可能率とは、その部品を加熱処理などして再加工することにより新たな製品製造に用いることができる効率を示すものである。
【００８６】
また本実施例においては、情報処理装置１の外部に形状情報記憶装置２、属性情報記憶装置３を設けているがこれに限定されることはなく、形状情報記憶装置２、属性情報記憶装置３が情報処理装置１の内部に設けてあってもよい。
【００８７】
属性情報選択部１１において、属性情報記憶装置３から明度等を割り当てる属性情報を選択する。
【００８８】
表示方法選択部１２において、属性情報選択部１１において選択した属性情報に対し、明度、色相、彩度のいずれを用いて表示するかを選択する。
【００８９】
表示情報・属性値対応部１３において、選択した部品の属性情報と選択した明度等を対応付け、割り当てる。
【００９０】
形状・表示情報変更部１４において、表示装置５の出力形式に合わせて、属性情報の表示形式を変更する。部品を表示するための属性情報を表示する形式等の表示情報は表示情報記憶部１５に適宜記憶する。
【００９１】
形状表示部１６は形状・表示情報変更部１４において、変更した表示形式によって部品形状を表示し、表示装置５に送信し、表示装置５によって部品の形状を表示出力する。
【００９２】
ここで請求の範囲に記載の表現形式選択部は、実施例中の表示方法選択部に対応するものであり、部品表現部は、形状表示部に対応するものである。
【００９３】
図１３は本発明に係るフローチャートである。製品を構成する部品を表示するのに、色相、彩度、明度、透明度のいずれ二種類を用いる。本実施例においては、部品の２種類の属性を表示するものとし、色相を部品の一つの属性に割り当てるとする。残りの一方の属性に対して、明度若しくは透明度を割り当てるとする。
【００９４】
まず、属性情報記憶装置３に記憶された属性情報から入力装置４を用いて属性１、属性２を選択処理する（ステップ１３０１、１３０２）。ここで属性１、２とは製品を構成する部品の有する属性から２つ選択した属性のことであり、形式的に番号を付加したものである。
【００９５】
そして選択した属性１が分類であるか否かを判断する（ステップ１３０３）。
属性１が分類である場合には、色相対応情報を呼び出し、部品の分類に含まれる属性値と色相の対応テーブルを作成処理する（ステップ１３０４）。
【００９６】
そして分類以外の属性を示す属性２に対して、明度対応情報を呼び出し、属性２の属性値と明度の対応テーブルを作成処理する（ステップ１３０５）。
【００９７】
属性１が分類でない場合、色相対応情報を呼び出し、属性２の属性値と色相の対応テーブルを作成処理し、明度対応情報を呼び出し、属性１の属性値と明度の対応テーブルの作成処理をする（ステップ１３０６、１３０７）。
【００９８】
属性１と属性２それぞれに対して作成した色相対応テーブルと明度対応テーブルに基づいて、ＨＳＶ形式による色情報作成処理をする（ステップ１３０８）。
【００９９】
そして部品を表示する形式をＨＳＶ形式からＲＧＢ形式に変換処理する（ステップ１３０９）。
【０１００】
部品属性対応情報、形状情報を呼び出し、製品を構成する部品に色を割り当てる処理を行う（ステップ１３１０）。
【０１０１】
そして、すべての部品に色の割り当てを行ったか判断する（ステップ１３１１）。ここで色を割り当てる部品は表示装置５に表示するすべてである必要はなく、予め色を割り当て表示したい部品を選択し、それらに対し、色の割り当てが行われているかを判断してもよい。
【０１０２】
部品のすべてに色の割り当てを行った場合には、表示装置を用いて製品の画像出力を行う（ステップ１３１２）。部品のすべてに色の割り当てていない場合には、再び色（ＨＳＶ）情報作成処理を行う（ステップ１３０８）。ここで部品に色の割り当てがすべて終わっていない場合、部品に色の割り当て処理（ステップ１３１０）から再び行ってもよい。
【０１０３】
図１４は本発明に係るフローチャートである。
【０１０４】
まず、属性情報記憶装置３に記憶された属性情報から入力装置４を用いて属性１、属性２を選択処理する（ステップ１４０１、１４０２）。ここで属性１、２とは製品を構成する部品の有する属性から２つ選択した属性のことであり、形式的に番号を付加したものである。
【０１０５】
そして属性１と属性２の属性値の数をカウントする（ステップ１４０３）。
【０１０６】
属性１の属性値が属性２の属性値の数より少ないかを判断する（ステップ１４０４）。
【０１０７】
属性１の属性値が属性２の属性値の数より少ない場合、色相対応情報を呼び出し、属性１の属性値と色相の対応テーブルを作成処理し、明度対応情報を呼び出し、属性２の属性値と明度の対応テーブルの作成処理をする（ステップ１４０５、１４０６）。
【０１０８】
属性１の属性値が属性２の属性値の数より多い場合、色相対応情報を呼び出し、属性２の属性値と色相の対応テーブルを作成処理し、明度対応情報を呼び出し、属性１の属性値と明度の対応テーブルの作成処理をする（ステップ１４０７、１４０８）。
【０１０９】
属性１と属性２それぞれに対して作成した色相対応テーブルと明度対応テーブルに基づいて、ＨＳＶ形式による色情報作成処理をする（ステップ１４０９）。
【０１１０】
部品を表示する色形式をＨＳＶ形式からＲＧＢ形式に変換処理する（ステップ１４１０）。
【０１１１】
部品属性対応情報、形状情報を呼び出し、製品を構成する部品に色を割り当てる処理を行う（ステップ１４１１）。
【０１１２】
そして、すべての部品に色の割り当てを行ったか判断する（ステップ１４１２）。ここで色を割り当てる部品は表示装置５に表示するすべてである必要はなく、予め色を割り当て表示したい部品を選択し、それらに対し、色の割り当てが行われているかを判断してもよい。
【０１１３】
部品のすべてに色の割り当てを行った場合には、表示装置を用いて製品の画像出力を行う（ステップ１４１３）。部品のすべてに色の割り当てていない場合には、再び色（ＨＳＶ）情報作成処理を行う（ステップ１４０９）。ここで部品に色の割り当てがすべて終わっていない場合、部品に色の割り当て処理（ステップ１４１１）から再び行ってもよい。
【０１１４】
図１５は本発明に係るフローチャートである。
【０１１５】
まず、属性情報記憶装置３に記憶された属性情報から入力装置４を用いて属性１、属性２を選択処理する（ステップ１５０１、１５０２）。ここで属性１、２とは製品を構成する部品の有する属性から２つ選択した属性のことであり、形式的に番号を付加したものである。
【０１１６】
そして選択した属性１が分類であるか否かを判断する（ステップ１５０３）。
属性１が分類である場合には、色相対応情報を呼び出し、部品の分類に含まれる属性値と色相の対応テーブルを作成処理する（ステップ１５０４）。
【０１１７】
そして分類以外の属性を示す属性２に対して、明度対応情報を呼び出し、属性２の属性値と明度の対応テーブルを作成処理する（ステップ１５０５）。
【０１１８】
属性１が分類でない場合、色相対応情報を呼び出し、属性２の属性値と色相の対応テーブルを作成処理し、明度対応情報を呼び出し、属性１の属性値と明度の対応テーブルの作成処理をする（ステップ１５０６、１５０７）。
【０１１９】
属性１と属性２それぞれに対して作成した色相対応テーブルと明度対応テーブルに基づいて、ＲＧＢ形式による色情報作成処理をする（ステップ１５０８）。
【０１２０】
部品属性対応情報、形状情報を呼び出し、製品を構成する部品に色を割り当てる処理を行う（ステップ１５０９）。
【０１２１】
そして、すべての部品に色の割り当てを行ったか判断する（ステップ１５１０）。
【０１２２】
部品のすべてに色の割り当てを行った場合には、表示装置を用いて製品の画像出力を行う（ステップ１５１１）。部品のすべてに色を割り当てていない場合には、再び色（ＨＳＶ）情報作成処理を行う（ステップ１５０８）。ここで部品に色の割り当てがすべて終わっていない場合、部品に色の割り当て処理（ステップ１５０９）から再び行ってもよい。
【０１２３】
図１６は本発明に係るフローチャートである。
【０１２４】
まず、属性情報記憶装置３に記憶された属性情報から入力装置４を用いて属性１、属性２を選択処理する（ステップ１６０１、１６０２）。ここで属性１、２とは製品を構成する部品の有する属性から２つ選択した属性のことであり、形式的に番号を付加したものである。
【０１２５】
そして属性１と属性２の属性値の数をカウントする（ステップ１６０３）。
【０１２６】
属性１の属性値が属性２の属性値の数より少ないかを判断する（ステップ１６０４）。
【０１２７】
属性１の属性値が属性２の属性値の数より少ない場合、色相対応情報を呼び出し、属性１の属性値と色相の対応テーブルを作成処理し、明度対応情報を呼び出し、属性２の属性値と明度の対応テーブルの作成処理をする（ステップ１６０５、１６０６）。
【０１２８】
属性１の属性値が属性２の属性値の数より多い場合、色相対応情報を呼び出し、属性２の属性値と色相の対応テーブルを作成処理し、明度対応情報を呼び出し、属性１の属性値と明度の対応テーブルの作成処理をする（ステップ１６０７、１６０８）。
【０１２９】
属性１と属性２それぞれに対して作成した色相対応テーブルと明度対応テーブルに基づいて、ＲＧＢ形式による色情報作成処理をする（ステップ１６０９）。
【０１３０】
部品属性対応情報、形状情報を呼び出し、製品を構成する部品に色を割り当てる処理を行う（ステップ１６１０）。
【０１３１】
そして、すべての部品に色の割り当てを行ったか判断する（ステップ１６１１）。
【０１３２】
部品のすべてに色の割り当てを行った場合には、表示装置を用いて製品の画像出力を行う（ステップ１６１２）。部品のすべてに色を割り当てていない場合には、再びＲＧＢ形式による色情報作成処理を行う（ステップ１６０９）。ここで部品に色の割り当てがすべて終わっていない場合、部品に色を割り当てる割り当て処理（ステップ１６１０）から再び行ってもよい。
【０１３３】
次に、以上述べた本発明に係る情報処理装置の実施形態の変形例、その他の技術的な拡張事項等を以下に列挙する。  
【０１３４】
（１）  上記実施形態では、部品が有する属性のうち２種類の属性を同時に識別可能とするものであるが、これに限定されることはなく、２種類以上の属性を同時に識別可能とするものであってもよい。
【０１３５】
（２）  上記実施例では、色に基づいて視覚的に部品の形状を表現し、設計支援を行うものであるが、これに限定されるものではなく、例えば聴覚的に部品の形状を表現する等、他の表現形式を用いてもよい。
【０１３６】
（３）  上記実施形態では、通常コンピュータでは、色はＲＧＢ (Ｒｅｄ Ｇｒｅｅｎ Ｂｌｕｅ)として表現されるため、表示装置５に出力する場合には、ＲＧＢ形式によって表示をしているが、これに限定されることはなく、色の表現形式として、ＨＳＶ形式（色相、彩度、明度）、ＣＭＹ（シアン(Ｃ)・マゼンタ(Ｍ)・イエロー(Ｙ)）形式等を用いてもよい。
【０１３７】
（４）  上記実施例では、情報処理装置の外部に入力装置や表示装置等が配置されているが、これに限定されるものではなく、情報処理装置内に設けられていてもよい。
【０１３８】
（５）  上記実施形態では、部品の形状情報と属性情報が別々の記憶装置内に記憶されているがこれに限定されることはなく、一つの記憶装置内に記憶されていてもよい。
【０１３９】
（６）  上記実施形態では、部品の属性として、分類、材料、リサイクル可能率を例にとり説明したが、これに限定されるものではなく、例えば再資源可能率等の属性に対して色を割り当て部品の識別を可能としてもよい。
【０１４０】
次に、以上述べた情報処理装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１４１】
（付記１）  製品を構成する複数の部品を識別可能に表現し、製品設計を支援する情報処理装置において、
部品が有する複数の属性情報から所望の２以上の属性情報を選択する属性情報選択部と、
部品を識別するために、該属性情報選択部において選択した２以上の属性情報を表現する表現形式をそれぞれの属性情報に対して選択する表現形式選択部と、
選択した複数の属性情報において、部品固有の属性値を選択した表現形式に基づいて部品の形状を表現する部品表現部と、
を有することを特徴とする情報処理装置。
【０１４２】
（付記２）  該表現形式選択部において、部品が有する属性情報を表現する形式として色相、彩度または明度に基づく表現形式のうち少なくとも１つを選択することを特徴とする付記１に記載の情報処理装置。
【０１４３】
（付記３）  該表現形式選択部において、部品が有する属性情報を表現する形式として色相、彩度または透明度に基づく表現形式のうち少なくとも１つを選択することを特徴とする付記１に記載の情報処理装置。
【０１４４】
（付記４）  該属性情報選択部において、部品が有する属性情報から部品の分類と部品の材料の属性情報を選択することを特徴とする付記１に記載の情報処理装置。  
【０１４５】
（付記５）  該属性情報選択部において、部品が有する属性情報から部品の分類と部品のリサイクル可能率の属性情報を選択することを特徴とする付記１に記載の情報処理装置。
（付記６）  製品を構成する複数の部品を識別可能に表現し、製品設計を支援する情報処理装置において、
部品が有する複数の属性情報から所望の２つの属性情報を選択する属性情報選択部と、
選択した属性情報を示す部品の属性値をカウントする属性値カウント部と、
該属性値カウント部において、属性値が多い属性情報を色相に基づいた表現形式を割り当て、属性値が少ない属性情報に対して、明度に基づいた表現形式を割り当てる表現形式割り当て部と、
選択した２つの属性情報において、該表現形式割り当て部において、割り当てた表現形式に基づき、部品の形状を表現する部品表現部と、
を有することを特徴とする情報処理装置。
【０１４６】
（付記７）  該表現形式割り当て部において、該属性値カウント部において、属性値が多い属性情報を色相に基づいた表現形式を割り当て、属性値が少ない属性情報に対して、透明度に基づいた表現形式を割り当てることを特徴とする付記６に記載の情報処理装置。
【０１４７】
（付記８）  製品を構成する複数の部品を識別可能に表現し、製品設計を支援する製品設計支援プログラムにおいて、
部品が有する複数の属性情報から所望の２以上の属性情報を選択する属性情報選択ステップと、
部品を識別するために、該属性情報選択ステップにおいて選択した２以上の属性情報を表現する表現形式をそれぞれの属性情報に対して選択する表現形式選択ステップと、
選択した複数の属性情報において、部品固有の属性値を選択した表現形式に基づいて部品の形状を表現する部品表現ステップと、
をコンピュータに実行させることを特徴とする製品設計支援プログラム。
（付記９）  製品を構成する複数の部品を識別可能に表現し、製品設計を支援する製品設計支援方法において、
部品が有する複数の属性情報から所望の２以上の属性情報を選択する属性情報選択ステップと、
部品を識別するために、該属性情報選択ステップにおいて選択した２以上の属性情報を表現する表現形式をそれぞれの属性情報に対して選択する表現形式選択ステップと、
選択した複数の属性情報において、部品固有の属性値を選択した表現形式に基づいて部品の形状を表現する部品表現ステップと、
からなることを特徴とする製品設計支援方法。
（付記１０）  製品を構成する複数の部品を識別可能に表現し、製品設計を支援する情報処理装置において、
部品が有する複数の属性情報から所望の２以上の属性情報を選択する属性情報選択部と、
部品を識別するために、該属性情報選択部において選択した２以上の属性情報を表現する表現形式をそれぞれの属性情報に対して選択する表現形式選択部と、
該表現形式選択部において、選択した２以上の表現形式を合成する表現形式合成部と、
該表現形式合成部において、合成した表現結果を出力する表現結果出力部と、  
を有することを特徴とする情報処理装置。
（付記１１）  複数の属性情報を有する複数の物を表現可能とし、２以上の表現形式を有する情報処理装置において、
物が有する複数の属性情報から所望の２以上の属性情報を選択する属性情報選択部と、
物を識別するために、該属性情報選択部において選択した２以上の属性情報を表現する表現形式をそれぞれの属性情報に対して選択する表現形式選択部と、
選択した複数の属性情報において、部品固有の属性値を選択した表現形式に基づいて部品の形状を表現する部品表現部と、
を有することを特徴とする情報処理装置。
（付記１２）  複数の属性情報を有する複数の物を表現可能とし、２以上の表現形式を有する情報処理装置において、
物が有する複数の属性情報から所望の２以上の属性情報を選択する属性情報選択部と、
物を識別するために、該属性情報選択部において選択した２以上の属性情報を表現する表現形式をそれぞれの属性情報に対して選択する表現形式選択部と、
該表現形式選択部において、選択した２以上の表現形式を合成する表現形式合成部と、
該表現形式合成部において、合成した表現結果を出力する表現結果出力部と、  
を有することを特徴とする情報処理装置。
【図面の簡単な説明】
【０１４８】
【図１】部品に割り当てる材料の分類表
【図２】分類表に色相と明度の割り当て図
【図３】分類と材料に対し色相と明度のテーブルを対応させた図
【図４】分類と材料に対し色相と明度のテーブルを対応させた表
【図５】リサイクル可能率と材料に対し色相と明度のテーブルを対応させた図
【図６】リサイクル可能率と材料に対し色相と明度のテーブルを対応させた表
【図７】分類表に色相と透明度の割り当て図
【図８】分類と材料に対し色相と透明度のテーブルを対応させた図
【図９】分類と材料に対し色相と透明度のテーブルを対応させた表
【図１０】リサイクル可能率と材料に対し色相と透明度のテーブルを対応させた図
【図１１】リサイクル可能率と材料に対し色相と透明度のテーブルを対応させた表
【図１２】本発明に係る情報処理装置のブロック図
【図１３】本発明の第１の実施例に係るフローチャート
【図１４】本発明の第２の実施例に係るフローチャート
【図１５】本発明の第３の実施例に係るフローチャート
【図１６】本発明の第４の実施例に係るフローチャート
【図１７】部品ＡとＢ及びＣの属性を表す表
【図１８】リサイクル可能率と材料に対し色のテーブルを対応させた図
【図１９】リサイクル可能率と材料に対し色のテーブルを対応させた表
【図２０】部品ＡとＢ及びＣの属性を表す表
【図２１】分類と材料に対し色のテーブルを対応させた図
【図２２】分類と材料に対し色のテーブルを対応させた表
【図２３】部品ＡとＢ及びＣの概念図
【符号の説明】
【０１４９】
１…情報処理装置
２…形状情報記憶装置
３…属性情報記憶装置
４…入力装置
５…表示装置
１１…属性情報選択部
１２…表示方法選択部
１３…表示情報・属性値対応部
１４…形状・表示情報変更部
１５…表示情報記憶部
１６…形状表示部
【図１】
2006172058.tif 000003
【図２】
2006172058.tif 000004
【図３】
2006172058.tif 000005
【図４】
2006172058.tif 000006
【図５】
2006172058.tif 000007
【図６】
2006172058.tif 000008
【図７】
2006172058.tif 000009
【図８】
2006172058.tif 000010
【図９】
2006172058.tif 000011
【図１０】
2006172058.tif 000012
【図１１】
2006172058.tif 000013
【図１２】
2006172058.tif 000014
【図１３】
2006172058.tif 000015
【図１４】
2006172058.tif 000016
【図１５】
2006172058.tif 000017
【図１６】
2006172058.tif 000018
【図１７】
2006172058.tif 000019
【図１８】
2006172058.tif 000020
【図１９】
2006172058.tif 000021
【図２０】
2006172058.tif 000022
【図２１】
2006172058.tif 000023
【図２２】
2006172058.tif 000024
【図２３】
2006172058.tif 000025